(57)【要約】【課題】  薄い帯状シートから厚い帯状シートまで多様な厚みの帯状シートを、皺や擦り傷が生じないようにスリッターへ搬送できるようにする。【解決手段】  第１の帯状シート走行経路Ｐ１を作る、帯状シート拡幅用の拡幅ローラ３を含む案内ローラ群１，２・・・７と、拡幅ローラ３の直前の案内ローラ２から拡幅ローラ３への帯状シートＳの走行経路を挟んで拡幅ローラ３の反対側に配設した迂回ローラ９と、帯状シート走行経路Ｐ１に沿って張設した薄物導入用の無端線条材１１、並びに、拡幅ローラ３以外の案内ローラと迂回ローラ９とにより作られる第２の帯状シート走行経路Ｐ２に沿って張設した厚物導入用の無端線条材１２、及び、無端線条材１１及び無端線条材１２を夫々適時に帯状シート走行方向に走行させることができる駆動装置１３からなるキャリヤ装置１０を備える。【選択図】  図１
2005206284.tif 000002
【特許請求の範囲】
【請求項１】
帯状シートをスリッターへ搬送するための、帯状シート分割巻取装置の帯状シート搬送装置において、第１の帯状シート走行経路を作る、拡幅ローラを含む案内ローラ群と、前記拡幅ローラの直前の案内ローラから拡幅ローラへの帯状シートの走行経路を挟んで拡幅ローラの反対側に配設した、帯状シートを拡幅ローラに接触しないように走行させるための迂回ローラと、前記第１の帯状シート走行経路に沿って該走行経路上の帯状シートの一方の縁の外側に張設した薄物導入用の無端線条材、並びに、前記案内ローラ群の拡幅ローラ以外の案内ローラと前記迂回ローラとにより作られる第２の帯状シート走行経路に沿って該走行経路上の帯状シートのもう一方の縁の外側に張設した厚物導入用の無端線条材、及び、前記薄物導入用の無端線条材及び厚物導入用の無端線条材を夫々適時に帯状シート走行方向に走行させることができる駆動装置からなる、第１の帯状シート走行経路と第２の帯状シート走行経路に帯状シート先端を選択的に導入するためのキャリヤ装置とを備えることを特徴とする帯状シート分割巻取装置の帯状シート搬送装置。
【請求項２】
請求項１に記載の帯状シート巻取装置の帯状シート搬送装置において、前記厚物導入用の無端線条材を、前記案内ローラ群の拡幅ローラ以外の案内ローラ及び前記迂回ローラにより作られる第２の帯状シート走行経路に沿って、前記薄物導入用の無端線条材の外側に並べて張設した厚物導入用の無端線条材に替えると共に、前記駆動装置を、前記薄物導入用の無端線条材及び厚物導入用の無端線条材を同時に帯状シート走行方向に走行させることができる駆動装置に替えたことを特徴とする帯状シート分割巻取装置の帯状シート搬送装置。
【発明の詳細な説明】
【技術分野】
【０００１】
本発明は、プラスチックフィルム、紙等の帯状シートをスリッターで複数条に分割しながら、分割した帯状シートを巻取装置で巻き取る帯状シート分割巻取装置において帯状シートをスリッターへ搬送する装置に関する。
【背景技術】
【０００２】
従来、薄い帯状シートを取り扱う帯状シート分割巻取装置において、帯状シートをスリッターへ搬送する帯状シート搬送装置は、帯状シートに皺や分割幅に誤差が生じるのを防ぐために、湾曲した拡幅ローラ（ウエキスパンダーローラ）を備え、この拡幅ローラにより帯状シートを幅方向に伸ばした後、スリッターへ供給するのが一般的である。
【０００３】
また、巻取速度が高速化した現在では、案内ローラの慣性力等に起因する案内ローラと帯状シートとのスリップを防ぎつつ、帯状シートを適正な張力でスリッター、更に巻取位置へと供給できるようにするために、帯状シートを搬送する案内ローラ群を全て積極駆動するものもある。
【０００４】
しかし、上述のような帯状シート分割巻取装置において多様な厚みの帯状シートを高速で分割巻取りした場合、厚い帯状シートの幅方向の一部分に連続的に擦り傷が生じて不良品となることが多い。例えば、厚みが２５ミクロンを越えるようなプラスチックフィルムでは擦り傷が生じ易い。そこで、この原因を調べた結果、擦り傷は拡幅ローラを通過する際に生じることを突き止めた。即ち、厚みの厚い帯状シートは伸びにくいため、拡幅ローラを通過する際に、伸ばされなかった帯状シートの表面と、伸ばそうとする拡幅ローラ外周面とが擦れることにより帯状シートに擦り傷が生じる。
【０００５】
ところが、厚みが厚い帯状シートは、伸びにくい反面、幅方向に縮みにくく容易に皺が発生しないため、拡幅ローラを必要としない。そこで、厚みの厚い帯状シートを取り扱うとき、帯状シートが接触しないように拡幅ローラを帯状シート走行経路から後退させることが提案される。
【０００６】
しかし、その場合、次のような問題を生じる。つまり、帯状シートが、拡幅ローラの直前に配置された案内ローラから、直後に配置された案内ローラへ直接走行して、直前に配置された案内ローラ及び直後に配置された案内ローラに対する帯状シートの巻掛け角度が小さくなるため、帯状シートの搬送が不安定になる。また、拡幅ローラを帯状シートの走行経路の所定位置から後退、復帰させるための大掛かりな機構が必要になり、しかも、他の案内ローラとの平行度等の拡幅ローラ取付け精度を高精度に維持する必要がある。また拡幅ローラに回転駆動力を伝達する伝動機構が複雑になる。
【特許文献１】特公昭５９−１３４１４号公報、特許第２６４０５３０号公報
【発明の開示】
【発明が解決しようとする課題】
【０００７】
本発明は、薄い帯状シートから厚い帯状シートまで多様な厚みの帯状シートを、皺や擦り傷が生じないようにスリッターへ搬送できるようにすることを課題としている。
【課題を解決するための手段】
【０００８】
本発明は、帯状シートをスリッターへ搬送するための、帯状シート分割巻取装置の帯状シート搬送装置において、第１の帯状シート走行経路を作る、帯状シート拡幅用の拡幅ローラを含む案内ローラ群と、前記拡幅ローラの直前の案内ローラから拡幅ローラへの帯状シートの走行経路を挟んで拡幅ローラの反対側に配設した、帯状シートを拡幅ローラに接触しないように走行させるための迂回ローラと、前記第１の帯状シート走行経路に沿って該走行経路上の帯状シートの縁の外側に張設した薄物導入用の無端線条材、並びに、前記案内ローラ群の拡幅ローラ以外の案内ローラ及び前記迂回ローラにより作られる第２の帯状シート走行経路に沿って該走行経路上の帯状シートの縁の外側に張設した厚物導入用の無端線条材、及び前記薄物導入用の無端線条材及び厚物導入用の無端線条材を夫々適時に帯状シート走行方向に走行させることができる駆動装置からなる、第１の帯状シート走行経路と第２の帯状シート走行経路に帯状シート先端を選択的に導入するためのキャリヤ装置とを備えることを特徴とする。
【発明の効果】
【０００９】
本発明では、従来装置に、構造が簡単で設置空間が小さくて済む迂回ローラ及びキャリヤ装置を設け、薄い帯状シートから厚い帯状シートまで多様な厚みの帯状シートを、皺や擦り傷が生じないようにスリッターへ搬送できるようにした。そして帯状シート先端導入時に、帯状シートの先端部をその厚みに応じてキャリヤ装置の薄物用の無端線条材と厚物用の無端線条材に選択的に取付けて導入するだけで、帯状シートが拡幅ローラを通る走行経路と拡幅ローラを迂回する走行経路とを切替えることができるので、その切替え操作は非常に簡単である。また帯状シートの走行経路の切替えに際して拡幅ローラや迂回ローラを移動する必要がないから故障しにくい搬送装置が得られる。したがって、１台で多様な厚みの帯状シートを品質よく分割巻取りできる極めて生産性の高い帯状シート分割巻取装置を提供することができる。
【発明を実施するための最良の形態】
【００１０】
従来装置の案内ローラ群の軸端を支持する両側の機枠に迂回ローラを１本だけ追加すると共に、案内ローラ群の搬送面と前記機枠との間の限られた空間を利用して、キャリヤ装置を、帯状シート先端の走行経路への導入や帯状シートの搬送に支障がないように設けた。
【実施例１】
【００１１】
図１は本発明の一実施例に係る帯状シート分割巻取装置の帯状シート搬送装置の側面図であり、図２は図１に示す切断線Ａ−Ａ沿いの断面を矢印Ｂ方向に見た帯状シート搬送装置の断面図である。この帯状シート搬送装置は、原反ロールＲ０から巻戻した帯状シートＳを、選択的に使用可能な厚物用のスリッターＫ１及び薄物用のスリッターＫ２へ搬送するためのもので、案内ローラ１，２，３，４，５，６及び７からなる案内ローラ群を備える。
【００１２】
案内ローラ３は、帯状シートＳの拡幅するための公知の拡幅ローラであり、例えば湾曲した固定シャフトに軸受を解してゴム筒を回転可能に装着し、ゴム筒自体が湾曲状態で回転するように構成したものである。案内ローラ４は帯状シートＳを挟圧するためのニップローラ８を備えており、ニップローラ８は必要なときに案内ローラ４から離反することができるようにしてある。
【００１３】
拡幅ローラ３の直前の案内ローラ２から拡幅ローラ３への帯状シートＳの走行経路Ｐ１を挟んで拡幅ローラ３の反対側には、図１に２点鎖線で示すように帯状シートＳを拡幅ローラ３に接触しないように走行させるための迂回ローラ９を配設している。このような迂回ローラ９の配置は、帯状シートＳを案内ローラ４へ拡幅ローラ３から導くときと、迂回ローラ９から導くときの、夫々の帯状シートＳの案内ローラ４への巻掛け角度の差を小さくできるので、特に、ニップローラ８と案内ローラ４とで帯状シートＳを挟んで搬送するとき帯状シートＳに皺が発生するのを防ぐのに、都合がよい。
【００１４】
案内ローラ１，２，３，４，５，６，及び７は、厚みの薄い帯状シートＳを、図１に実線で示すように案内ローラ１から案内ローラ７まで搬送するための第１の帯状シート走行経路Ｐ１を作る。また、案内ローラ１，２，迂回ローラ９，案内ローラ４，５，６及び７は、厚みの厚い帯状シートＳを案内ローラ１から案内ローラ７まで、図１に２点鎖線で示すように途中で拡幅ローラ３を迂回して搬送するための第２の帯状シート走行経路Ｐ２を作る。そして案内ローラ１から７及び迂回ローラ９は、夫々の軸端を図２に示すように左右に配置した機枠Ｆ１、Ｆ２により支持されており、帯状シートＳの搬送時に、図示しない公知の駆動手段により夫々回転駆動される。なお図１は機枠Ｆ１を省略して示してある。
【００１５】
この発明の帯状シート搬送装置には、帯状シートＳの厚みに応じて帯状シートＳの先端を第１の帯状シート走行経路Ｐ１、第２の帯状シート走行経路Ｐ２に選択的に導入するためのキャリヤ装置１０が備えてある。キャリヤ装置１０は、図１に破線で示すように第１の帯状シート走行経路Ｐ１に沿って張設した薄物導入用の無端線条材１１、並びに、図１に１点鎖線及び破線で示すように、第２の帯状シート走行経路Ｐ２に沿って張設した厚物導入用の無端線条材１２、及び、薄物導入用の無端線条材１１、厚物導入用の無端線条材１２を夫々適時に帯状シート走行方向に走行させることができる駆動装置１３とからなる。そして図２に示すように、薄物導入用の無端線条材１１は走行路上の帯状シートＳの左の縁の外側に配置され、厚物導入用の無端線条材１２は走行路上の帯状シートＳの右の縁の外側に配置されている。
【００１６】
この実施例では、薄物導入用の無端線条材１１、厚物導入用の無端線条材１２は夫々無端チェーンであり、薄物導入用の無端線条材１１は、図１に示すように配置してあり、図２の左側の機枠Ｆ１に設けた鎖歯車ｗ１乃至ｗ１９に掛けてある。なお本発明では必要に応じチェーンの代わりにベルト、ロープ、ワイヤー等を無端線条材として用いてもよい。
【００１７】
図２の右側の機枠Ｆ２にも、左側の機枠Ｆ１上の鎖歯車ｗ１乃至ｗ１９に向き合うように、それらと同じ数の鎖歯車ｗ１乃至ｗ１９が同じ配置で設けてあり、更に図１に２点鎖線で示す位置に鎖歯車ｗ２０が配設してある。そして厚物導入用の無端線条材１２は、導入した帯状シートＳが迂回ローラ９上を走行できるように右側の機枠Ｆ２上の鎖歯車ｗ８からｗ２１を経て鎖歯車ｗ９に掛けてあり、この点でを除けば薄物導入用の無端線条材１１と同じ経路を走行できるように張設してある。
【００１８】
駆動装置１３は、無端線条材１１、１２毎の鎖歯車ｗ１を個々に回転駆動可能な二つのモータ１４からなる。鎖歯車ｗ１はモータ１４の出力軸に固着してあり、それ以外の鎖歯車ｗ２乃至ｗ２０は夫々回転自在に機枠Ｆ１又はＦ２に取付けてある。駆動装置１３は、各モータ１４により鎖歯車ｗ１を回転駆動することにより無端線条材１１、１２を図１に矢印Ｃで示す方向に夫々走行させることができる。
【００１９】
スリッターＫ１は互いに噛み合う丸刃を備えたシェアカッターであり、スリッターＫ２はカミソリ刃を備えたレザーカッターであり、丸刃又はカミソリ刃を通過する帯状シートＳを複数条に分割することができる。案内ローラ７の表面には、カミソリ刃の刃先を受け入れる溝を多数有する。スリッターＫ１又はＫ２により分割され帯状シートは振分け案内ローラ１５、１６へ交互に振分けられ、図示しない巻取装置により夫々巻取られて巻取ロールＲが形成される。
【００２０】
厚みの薄い帯状シートＳを分割巻取する場合には、鎖歯車ｗ６、ｗ７間において、帯状シートＳの先端部分を、図２の左側の薄物導入用の無端線条材１１に公知の手段で結合した後、案内ローラ１乃至７と共にモータ１４を起動して無端線条材１１を図１の矢印Ｃで示す方向に循環走行させ、帯状シートＳの先端部が鎖歯車ｗ１６付近に来たときモータ１４を停止すると共に案内ローラ１乃至７の駆動を停止する。その間に帯状シートＳの先端は無端線条材１１と共に帯状シートの走行経路に沿って搬送され、第１の帯状シート走行経路Ｐ１に導入される。モータ１４が停止すると無端線条材１０から帯状シートＳの先端部を取り外す。
【００２１】
厚みの厚い帯状シートＳを分割巻取する場合には、厚物導入用の無端線条材１２に帯状シートＳの先端を結合し、それ以外は厚みが薄い場合と同様に操作して第２の帯状シート走行経路Ｐ２に通す。
【００２２】
前述のキャリヤ装置１０の占有空間を更に小さくし更に構造を簡素化するには、図２に示す厚物導入用の無端線条材１２を、図３に示すように、第２の帯状シート走行経路に沿って薄物導入用の無端線条材１１の外側に並べて張設した厚物導入用の無端線条材１２に替えると共に、前述の無端線条材１１、１２毎のモータ１４からなる駆動装置１３を、図４に示すように二つの無端線条材１１、１２を同時に駆動できる一つのモータ１４からなる駆動装置１３に替えるとよい。図４において薄物用の無端線条材１１及び厚物導入用の無端線条材１２を掛けた鎖歯車ｗ１，ｗ１は、モータ１４により回転駆動される共通の駆動軸１７に固着してある。
【００２３】
以上、一実施例について説明したが、本発明の実施態様は、必要に応じて要旨を変えることなく多様に変化し得る。例えば、案内ローラ群を構成する案内ローラの数や配置は図１に示すものに限定されない。またスリッターは、それが薄物から厚物まで切断できるものである場合は、帯状シート走行経路の１箇所に配置すればよい。
【図面の簡単な説明】
【００２４】
【図１】本発明の一実施例に係る側面図である。
【図２】図２は図１に示す切断線Ａ−Ａ沿いの断面を矢印Ｂ方向に見た断面図である。
【図３】キャリヤ装置の他の態様に係る説明図である。
【図４】図３に示す無端線条材を走行駆動する駆動装置の説明図である。
【符号の説明】
【００２５】
Ｓ  帯状シート
１〜７  案内ローラ群
３  拡幅ローラ
８  ニップローラ
９  迂回ローラ
１０  キャリヤ装置
１１  薄物用の無端線条材
１２  厚物用の無端線条材
１３  駆動装置
１４  モータ
【図１】
2005206284.tif 000003
【図２】
2005206284.tif 000004
【図３】
2005206284.tif 000005
【図４】
2005206284.tif 000006